(57)【要約】【課題】筐体の小型化と、配管のメンテナンス向上とが図れる飲料ディスペンサを提供する。【解決手段】飲料ディスペンサ１０は、提供される飲料を予め冷却する冷却装置に、冷却水を貯める冷却水槽６２と、冷却水槽６２内の冷却水の水位が所定水位を超えたときに冷却水を排出する冷却水排出管６４とを備える。冷却水排出管６４は、冷却水槽６２に隣り合う保冷庫６１から離れた冷却水槽６２の角部６２ａに配置される。【選択図】図３
2020132218.tif 000002
【特許請求の範囲】
【請求項１】
提供される飲料を予め冷却する冷却装置に、冷却水を貯める冷却水槽と、前記冷却水槽内の冷却水の水位が所定水位を超えたときに前記冷却水を排出する冷却水排出管とを備える飲料ディスペンサにおいて、
前記冷却水排出管は、前記冷却水槽に隣り合う保冷庫から離れた前記冷却水槽の角部に配置されることを特徴とする飲料ディスペンサ。
【請求項２】
前記冷却水槽の角部は、前記冷却水槽の隣り合う壁同士の角に面取りの如く形成された傾斜壁に形成され、前記冷却水排出管は、前記傾斜壁の延出方向に沿って配置されていることを特徴とする請求項１に記載の飲料ディスペンサ。
【請求項３】
前記保冷庫は、飲料の原料を収納する収納部であり、前記冷却水排出管は、前記収納部の底部に接続されたドレン管に接続されることを特徴とすることを特徴とする請求項１又は２に記載の飲料ディスペンサ。
【発明の詳細な説明】
【技術分野】
【０００１】
本発明は、飲料ディスペンサに関する。
【背景技術】
【０００２】
従来、冷却水を貯留する冷却水槽と、この冷却水槽内の冷却水を冷却する冷却水槽冷却器と、冷却水槽内の冷却水に浸漬された冷却コイルと、冷却水槽内の冷却水を撹拌する撹拌機とを備え、冷却コイルを通過するシロップと希釈水とを冷却水により冷却して吐出する飲料ディスペンサにおいて、冷却水槽の上部に、上面開口から冷却水が溢れることを防止する冷却水排出管が設けられたものが知られている（例えば、特許文献１参照）。
【先行技術文献】
【特許文献】
【０００３】
【特許文献１】特開２００７−２５５８２８号公報
【発明の概要】
【発明が解決しようとする課題】
【０００４】
特許文献１において、製品の小型化、多機能化により、飲料ディスペンサ内の部品間の隙間に冷却水排出管を引き回すと、冷却水排出管の内部の詰まりなどの掃除あるいは着脱等のメンテナンスが困難になる。
本発明は、筐体の小型化と、配管のメンテナンス向上とが図れる飲料ディスペンサを提供することを目的とする。
【課題を解決するための手段】
【０００５】
本発明の飲料ディスペンサは、提供される飲料を予め冷却する冷却装置に、冷却水を貯める冷却水槽と、前記冷却水槽内の冷却水の水位が所定水位を超えたときに前記冷却水を排出する冷却水排出管とを備える飲料ディスペンサにおいて、前記冷却水排出管は、前記冷却水槽に隣り合う保冷庫から離れた前記冷却水槽の角部に配置されることを特徴としたものである。
これによって、冷却水排出管を冷却水槽の角部を利用してコンパクトに配置し、筐体の小型化が図れるとともに、冷却水排出管の着脱が容易になり、メンテナンス性が向上する。
【０００６】
また、本発明の飲料ディスペンサは、前記冷却水槽の角部が、前記冷却水槽の隣り合う壁同士の角に面取りの如く形成された傾斜壁に形成され、前記冷却水排出管は、前記傾斜壁の延出方向に沿って配置されていることを特徴としたものである。
これによって、冷却水排出管をよりコンパクトに配置可能になり、筐体の大型化を避けることができる。
【０００７】
また、本発明の飲料ディスペンサは、前記保冷庫が、飲料の原料を収納する収納部であり、前記冷却水排出管は、前記収納部の底部に接続されたドレン管に接続されることを特徴としたものである。
これによって、冷却水排出管とドレン管とを接続することで、冷却水排出管及びドレン管の短縮と容易な配置、取回しとが可能になるとともに、下流側の配管から排出物がまとめて所定の場所に排出される。
【発明の効果】
【０００８】
本発明の飲料ディスペンサは、冷却水排出管を冷却水槽の角部を利用してコンパクトに配置でき、筐体の小型化を図ることができるとともに、冷却水排出管の着脱が容易になり、メンテナンス性を向上できる。
【図面の簡単な説明】
【０００９】
【図１】本発明の一実施形態の飲料ディスペンサを示す正面図
【図２】筐体の内部を示す側面図
【図３】保冷庫、冷却水槽及びドリップトレイを示す斜視図
【図４】保冷庫及び冷却水槽を示す斜視図
【図５】保冷庫及び冷却水槽を示す正面図
【発明を実施するための形態】
【００１０】
第１の発明は、提供される飲料を予め冷却する冷却装置に、冷却水を貯める冷却水槽と、前記冷却水槽内の冷却水の水位が所定水位を超えたときに前記冷却水を排出する冷却水排出管とを備える飲料ディスペンサにおいて、前記冷却水排出管は、前記冷却水槽に隣り合う保冷庫から離れた前記冷却水槽の角部に配置されることにより、冷却水排出管を冷却水槽の角部を利用してコンパクトに配置でき、筐体の小型化を図ることができるとともに、冷却水排出管の着脱が容易になり、メンテナンス性を向上できる。
【００１１】
第２の発明は、前記冷却水槽の角部が、前記冷却水槽の隣り合う壁同士の角に面取りの如く形成された傾斜壁に形成され、前記冷却水排出管は、前記傾斜壁の延出方向に沿って配置されていることにより、冷却水排出管をよりコンパクトに配置でき、筐体の更なる小型化を図ることができる。
【００１２】
第３の発明は、前記保冷庫が、飲料の原料を収納する収納部であり、前記冷却水排出管は、前記収納部の底部に接続されたドレン管に接続されることにより、冷却水排出管とドレン管とを接続することで、冷却水排出管及びドレン管の短縮と容易な配置、取回しとが可能になるとともに、下流側の配管から排出物をまとめて所定の場所に排出できる。
【００１３】
以下、本発明の実施の形態について、図面を参照しながら説明する。
なお、以下説明中の「左」及び「右」は、飲料ディスペンサ１０の前面に向かった状態での方向を示している。
図１は、本発明の一実施形態の飲料ディスペンサ１０を示す正面図、図２は、筐体１１の内部を示す側面図である。
図１に示すように、飲料ディスペンサ１０は、筐体１１の上部左右に配置された一対のＢＩＢ（Ｂａｇ  Ｉｎ  Ｂｏｘ）１２，１３と、左右のＢＩＢ１２，１３の間の筐体１１に配置されたシロップ供給部１４とを備える。
筐体１１の上部は、筐体１１に開閉可能に取付けられた前カバー１５によって前方から覆われる。前カバー１５の前面には、各種飲料を選択する複数の選択ボタン（不図示）が設けられている。図では、前カバー１５は、開けられた状態にあり、飲料ディスペンサ１０のメンテナンスが可能である。
【００１４】
左右のＢＩＢ１２，１３には、それぞれ異なった飲料の原料が貯められている。
左右のＢＩＢ１２，１３の下端部には、それぞれチューブ１６Ａ，１６Ｂが接続され、チューブ１６Ａ，１６Ｂの先端部にチューブ開口部１７Ａ，１７Ｂが設けられる。
飲料は、飲料の原料と、飲料の原料を希釈する希釈水とが混合されて出来ている。
上記チューブ１６Ａ，１６Ｂは、それぞれペリスタルティックポンプ１８Ａ，１８Ｂを構成するロータ（不図示）とアーム（不図示）との間に挟持されている。上記チューブ１６Ａ，１６Ｂを回転するロータで扱くことで、上記チューブ１６Ａ，１６Ｂ内の飲料が、チューブ開口部１７Ａ，１７Ｂ側に送り出される。
【００１５】
シロップ供給部１４は、カバー部材２１の後方及び後方の下方に、それぞれ不図示の可変バルブ、電磁弁、チューブ、マルチノズル等を備える。
選択ボタンを操作してシロップ飲料を要求すると、シロップタンク内のシロップが電磁弁を通過してマルチノズルに供給される。マルチノズルでは、シロップが希釈水と混合されてシロップ飲料になり、マルチノズル先端から吐出される。
【００１６】
左右のＢＩＢ１２，１３及びシロップ供給部１４の下方で筐体１１の下部には、ドリップトレイ３１が設けられる。ドリップトレイ３１上には、カップ（不図示）が載せられ、上記カップに飲料が注がれる。
【００１７】
図２に示すように、筐体１１は、底壁５１と、底壁５１の左右の側縁から立ち上げられた左右一対の側壁５２（一方の側壁５２のみ図示）と、底壁５１の後縁から立ち上げられた後壁５３とを備える。
底壁５１の上方には、飲料の原料及び希釈水を冷却する冷却装置５５が配置されている。
冷却装置５５は、コンプレッサ５６、コンデンサ５７及び送風装置５８を備える。
送風装置５８は、後壁５３に近接して配置され、前方のコンデンサ５７に送風することで、コンデンサ５７を冷却する。
【００１８】
冷却装置５５の上方には、底壁５１に複数の支柱（不図示）を介して支持された支持部材（不図示）が設けられ、上記支持部材上に冷却水槽６２が配置されている。
冷却水槽６２内には、コンデンサ５７を通過した冷媒が流れる冷却器（不図示）と、飲料の原料を冷却する管からなるシロップ冷却コイル（不図示）と、希釈水を冷却する管からなる希釈水冷却コイル（不図示）とが、冷却水槽６２内に貯められた冷却水中に浸かった状態で配置されている。
筐体１１内の上部前部には、ＢＩＢ１２，１３及びシロップ供給部１４が収容された保冷庫６１が配置されている。保冷庫６１は、常温より低い所定温度に保たれている。
冷却水槽６２は、保冷庫６１と後壁５３との間に配置されている。
冷却水槽６２には、貯められた冷却水の水位が所定水位を超えたときに冷却水を排出する冷却水排出管６４が設けられている。
【００１９】
保冷庫６１の底壁８４には、庫内に溜った水を排出するドレン管６６が接続されている。
上記した冷却水排出管６４は、接続管６７を介してドレン管６６に接続されている。接続管６７は、先端部に、保冷庫６１の水及び冷却水槽６２の冷却水を排出する排水口６７ａを備える。排水口６７ａから排出された上記水及び冷却水は、ドリップトレイ３１に流れ落ち、ドリップトレイ３１の下部に設けられた排水孔（不図示）から排出されて貯留タンク等に溜められる。
【００２０】
図３は、保冷庫６１、冷却水槽６２及びドリップトレイ３１を示す斜視図、図４は、保冷庫６１及び冷却水槽６２を示す斜視図、図５は、保冷庫６１及び冷却水槽６２を示す正面図である。
図３及び図４に示すように、冷却水槽６２は、底壁７１（図２参照）と、底壁７１から立ち上げられた前壁７２、左右一対の側壁７３及び後壁７４と、左右の側壁７３及び後壁７４のそれぞれを接続する左右一対の傾斜壁７５とからなる。
左右の傾斜壁７５は、左右の側壁７３と後壁７４との角部６２ａに形成された部分であり、左右の側壁７３及び後壁７４のそれぞれに対して約４５°傾斜している。
【００２１】
冷却水排出管６４は、一方（左側）の傾斜壁７５の上部に取付けられて冷却水を排出する排出口７６に接続されている。
冷却水排出管６４は、排出口７６から傾斜壁７５に沿って下方に延び、更に、底壁７１よりも下方で前方に屈曲し、底壁７１に沿って前方に延び、更に、後壁７４の下方で屈曲して前方斜め下方に延び、更に、前方に延びて接続管６７に接続される。
【００２２】
保冷庫６１は、底壁８４（図２参照）と、底壁８４から立ち上げられた左右一対の側壁８５（一方の側壁８５のみ図示）及び後壁８６と、左右の側壁８５及び後壁８６のそれぞれを接続する上壁８７とを備える。保冷庫６１の前部には、開口部６１ａが設けられている。開口部６１ａが、前カバー１５（図１参照）により塞がれたときに、保冷庫６１内は密閉される。
底壁８４には、庫内の水を排出する排出口８９が取付けられ、排出口８９にドレン管６６が接続されている。
ドレン管６６は、側面視では排出口８９から下方に延び、接続管６７に接続される。
【００２３】
図５に示すように、保冷庫６１と冷却水槽６２とは、左右方向ではほぼ重なるように配置され、保冷庫６１の上端は、冷却水槽６２の上端よりも高く配置されている。
冷却水槽６２の排出口８９は、底壁８４の左右方向の中央部に設けられ、ドレン管６６は、排出口８９から下方に延びた後、下方斜め側方（下方斜め左側方）に延び、更に、側方（左側方）に延び、更に、屈曲して下方に延びて接続管６７に接続される。
【００２４】
冷却水排出管６４の上部は、正面視では、冷却水槽６２の左側の側壁７３よりも右方に配置され、前方からは見えない。また、冷却水排出管６４は、冷却水槽６２の後壁７４（図２参照）よりも前方に配置される。従って、冷却水排出管６４は、保冷庫６１の角部６２ａに形成される三角柱状の空間（側壁７３、後壁７４のそれぞれを延長した延長部と、傾斜壁７５とで形成される空間）内に配置される。これにより、冷却水排出管６４を冷却水槽６２の角部６２ａにコンパクトに配置できる。
【００２５】
以上の図２及び図３に示したように、飲料ディスペンサ１０は、提供される飲料を予め冷却する冷却装置５５に、冷却水を貯める冷却水槽６２と、冷却水槽６２内の冷却水の水位が所定水位を超えたときに冷却水を排出する冷却水排出管６４とを備える。
【００２６】
冷却水排出管６４は、冷却水槽６２に隣り合う保冷庫６１（ＢＩＢ１２，１３（図１参照）の収納部である保冷庫６１）から離れた冷却水槽６２の角部６２ａに配置される。
【００２７】
この構成によれば、冷却水排出管６４を冷却水槽６２の角部を利用してコンパクトに配置でき、筐体１１の小型化を図ることができるとともに、冷却水排出管６４が、シロップ供給部１４の内部を通ることなく配置されるため、冷却水排出管６４の脱着や清掃等が容易になり、メンテナンス性を向上できる。
【００２８】
また、図３に示したように、冷却水槽６２の角部６２ａは、冷却水槽６２の隣り合う壁としての側壁７３及び後壁７４同士の角に面取りの如く形成された傾斜壁７５に形成され、冷却水排出管６４は、傾斜壁７５の延出方向（上下方向）に沿って配置されている。
この構成によれば、冷却水排出管６４をよりコンパクトに配置でき、筐体１１を大型化する必要がなくなる。
【００２９】
また、図２に示したように、保冷庫６１は、飲料の原料を収納する収納部であり、冷却水排出管６４は、保冷庫６１の底部としての底壁８４に接続されたドレン管６６に接続される。
この構成によれば、冷却水排出管６４とドレン管６６とを接続することで、冷却水排出管６４及びドレン管６６の短縮と容易な配置、取回しが可能になるとともに、下流側の配管としての接続管６７から排出物をまとめて所定の場所に排出できる。
【００３０】
以上、各実施の形態に基づいて本発明を説明したが、あくまでも本発明の一実施の態様を例示するものであるから、本発明の趣旨を逸脱しない範囲において任意に変更、及び応用が可能である。
【産業上の利用可能性】
【００３１】
以上のように、本発明に係る飲料ディスペンサは、冷却水排出管の着脱や清掃が容易であり、メンテナンス性を向上できる飲料ディスペンサとして好適に利用可能である。
【符号の説明】
【００３２】
１０  飲料ディスペンサ
１１  筐体
５５  冷却装置
６１  保冷庫
６２  冷却水槽
６２ａ  角部
６４  冷却水排出管
６６  ドレン管
７３  側壁（壁）
７４  後壁（壁）
７５  傾斜壁
８４  底壁（底部）
【図１】
2020132218.tif 000003
【図２】
2020132218.tif 000004
【図３】
2020132218.tif 000005
【図４】
2020132218.tif 000006
【図５】
2020132218.tif 000007